(57)【要約】【課題】例えば睡眠中などに、呼吸状態を示すデータを確実に収集できる呼吸状態監視装置、呼吸データ処理装置、及び呼吸データ処理方法を提供すること。【解決手段】ステップ１９０では、所定期間ΔＴ（例えば２分間）における測定データが、（呼吸状態の解析に用いるための）適正なデータであるか否かを判定する。ステップ２００では、所定期間ΔＴにおける測定データ（従って呼吸データ）が適正であるので、カウンタ（適正データ期間カウンタ）をインクリメントする。ステップ２１０では、全ての呼吸データを記憶するとともに、記憶した呼吸データが適正な期間における呼吸データかどうかも記憶する。ステップ２２０では、適正な呼吸データを必要時間分蓄積したがどうかを判定する。ステップ２３０では、呼吸状態の解析に十分な呼吸データが記憶されたので、動作表示器３９を駆動して、「測定は正常に完了しました」と表示する。【選択図】図７
2008110139.tif 000002
【特許請求の範囲】
【請求項１】
人の呼吸を検出可能なセンサにより得られた呼吸状態を示す呼吸データが記憶される呼吸状態監視装置において、
前記呼吸データが、前記呼吸状態の判定に用いられる呼吸データとして適切な呼吸データか否かを判定するデータ判定手段を備えたことを特徴とする呼吸状態監視装置。
【請求項２】
前記呼吸データを示す信号の変化に基づいて、前記判定を行うことを特徴とする前記請求項１に記載の呼吸状態監視装置。
【請求項３】
前記信号の振幅に基づいて、前記判定を行うことを特徴とする前記請求項２に記載の呼吸状態監視装置。
【請求項４】
所定の時間間隔毎に、前記信号の振幅の最大値と最小値の幅に基づいて、前記判定を行うことを特徴とする前記請求項３に記載の呼吸状態監視装置。
【請求項５】
前記信号の吸気と呼気の切替点の数に基づいて、前記判定を行うことを特徴とする前記請求項２〜４のいずれかに記載の呼吸状態監視装置。
【請求項６】
所定時間間隔毎に、前記切替点の数に基づく前記判定を行うことを特徴とする前記請求項５に記載の呼吸状態監視装置。
【請求項７】
前記呼吸データを、前記データ判定手段の判定結果とともにメモリに記憶することを特徴とする前記請求項１〜６のいずれかに記載の呼吸状態監視装置。
【請求項８】
前記データ判定手段の判定結果に基づき、前記適切な呼吸データのみをメモリに記憶することを特徴とする前記請求項１〜６のいずれかに記載の呼吸状態監視装置。
【請求項９】
前記メモリに記憶された適切な呼吸データが、規定量蓄積されたか否かを判定するデータ蓄積判定手段と、
前記データ蓄積判定手段による判定結果に基づく情報を報知する報知制御手段と、
を備えたことを特徴とする前記請求項７又は８に記載の呼吸状態監視装置。
【請求項１０】
前記報知する情報は、正常に測定が完了したことを示す情報、正常に測定されなかったことを示す情報、又は、再度の測定を促すことを示す情報であることを特徴とする前記請求項８に記載の呼吸状態監視装置。
【請求項１１】
前記センサは、人の呼気や吸気に接してその信号が変化する素子を利用した呼吸センサであることを特徴とする前記請求項１〜１０のいずれかに記載の呼吸状態監視装置。
【請求項１２】
人の呼吸を検出可能なセンサにより得られた呼吸状態を示す呼吸データに基づいて、前記呼吸状態の解析が可能な呼吸データ処理装置において、
前記呼吸データが、前記呼吸状態の判定に用いられる呼吸データとして適切な呼吸データか否かを判定するデータ判定手段を備えたことを特徴とする呼吸データ処理装置。
【請求項１３】
前記呼吸データを示す信号の変化に基づいて、前記判定を行うことを特徴とする前記請求項１２に記載の呼吸データ処理装置。
【請求項１４】
前記信号の振幅に基づいて、前記判定を行うことを特徴とする前記請求項１３に記載の呼吸データ処理装置。
【請求項１５】
所定の時間間隔毎に、前記信号の振幅の最大値と最小値の幅に基づいて、前記判定を行うことを特徴とする前記請求項１４に記載の呼吸データ処理装置。
【請求項１６】
前記信号の吸気と呼気の切替点の数に基づいて、前記判定を行うことを特徴とする前記請求項１３〜１５のいずれかに記載の呼吸データ処理装置。
【請求項１７】
所定時間間隔毎に、前記切替点の数に基づく前記判定を行うことを特徴とする前記請求項１６に記載の呼吸データ処理装置。
【請求項１８】
人の呼吸を検出可能なセンサにより得られた呼吸状態を示す呼吸データを処理する呼吸データ処理方法において、
前記呼吸データが、前記呼吸状態の判定に用いられる呼吸データとして適切な呼吸データか否かを判定するデータ判定処理を行うことを特徴とする呼吸データ処理方法。
【請求項１９】
前記呼吸データを示す信号の変化に基づいて、前記判定を行うことを特徴とする前記請求項１８に記載の呼吸データ処理方法。
【請求項２０】
前記信号の振幅に基づいて、前記判定を行うことを特徴とする前記請求項１９に記載の呼吸データ処理方法。
【請求項２１】
所定の時間間隔毎に、前記信号の振幅の最大値と最小値の幅に基づいて、前記判定を行うことを特徴とする前記請求項２０に記載の呼吸データ処理方法。
【請求項２２】
前記信号の吸気と呼気の切替点の数に基づいて、前記判定を行うことを特徴とする前記請求項１９〜２１のいずれかに記載の呼吸データ処理方法。
【請求項２３】
所定時間間隔毎に、前記切替点の数に基づく前記判定を行うことを特徴とする前記請求項２２に記載の呼吸データ処理方法。
【発明の詳細な説明】
【技術分野】
【０００１】
本発明は、例えば圧電フィルム等を利用した呼吸センサなどを用いて、例えば睡眠時などの呼吸の正常・異常やいびきなどの呼吸状態を調べることができる呼吸状態監視装置、呼吸データ処理装置、呼吸データ処理方法に関する。
【背景技術】
【０００２】
従来より、人の呼吸の状態を調べる技術として、口元にサーミスタを貼り付ける技術が知られている（特許文献１参照）
また、体の動きを圧電素子で検出し、その検出結果から呼吸の状態を調べる技術も知られている（特許文献２参照）。
【０００３】
更に、近年では、口にＰＶＤＦ（ポリフッ化ビニリデン）フィルムを貼り付け、その検出信号から呼吸を検出する技術も開示されている（特許文献３参照）。
【特許文献１】特許第２７９４１９６号公報  （第２頁  第２図）
【特許文献２】特許第２８０３３７４号公報  （第１頁  図２）
【特許文献３】米国特許第５３１１８７５号明細書  （第１頁  第１図）
【発明の開示】
【発明が解決しようとする課題】
【０００４】
しかしながら、上述した引用文献の技術では、呼吸状態を検出する各種のセンサ（呼吸センサ）を体に貼り付け、その呼吸センサを測定装置に接続して使用するが、通常、測定装置は大型であり、例えば多くの検査対象から無呼吸症候群などを検出するためのスクリーニングには、使用し難いという問題があった。
【０００５】
つまり、多くの人に測定装置を取り付けて、各個人の呼吸の異常等を簡単に検出するためには、装置の小型化や操作性の向上などが必要であるが、従来は、そのための対策が十分では無い。
【０００６】
例えば、測定開始スイッチを操作して測定を開始する装置の場合に、測定開始スイッチを入れ忘れていたときには、所定の測定時間が経過しても装置にデータが記憶されていないが、被験者にとっては、正常にデータを記録して測定を完了したかどうかの判別ができないという問題があった。
【０００７】
また、測定を開始してから所定時間（例えば１０時間）経過すると測定が終了する装置の場合には、被験者にとっては、装置のメモリに何らかのデータが記録されていたとしても、正常にデータが記録されたのか或いはセンサ外れ等で適正でないデータが記録されたのかの判別ができないという問題があった。
【０００８】
本発明は以上の点に鑑みてなされたものであり、例えば睡眠中などに、呼吸状態を示すデータを確実に収集できる呼吸状態監視装置、呼吸データ処理装置、及び呼吸データ処理方法を提供すること目的とする。
【課題を解決するための手段】
【０００９】
（１）請求項１の発明は、人の呼吸を検出可能なセンサにより得られた呼吸状態（例えば呼吸の有無やいびき）を示す呼吸データが記憶される呼吸状態監視装置（例えばスクリーナ）において、前記呼吸データが、前記呼吸状態の判定に用いられる呼吸データとして適切な呼吸データか否かを判定するデータ判定手段を備えたことを特徴とする。
【００１０】
呼吸データが必要時間分（例えば３時間分）得られれば呼吸状態の解析が可能であるが、例えば呼吸センサが体から外れた状態で得られた呼吸データを３時間分蓄積しても、呼吸状態を解析できない。
【００１１】
従って、本発明では、呼吸状態監視装置に入力した呼吸データが、正常な測定によって得られた適切な呼吸データであるかを、例えばセンサから入力される信号に基づいて判定している。従って、適切な呼吸データを必要量蓄積すれば、その蓄積した呼吸データに基づいて、呼吸状態を精度良く解析することができる。
【００１２】
なお、どの様な呼吸データが適切なデータであるかは、実験等によって求めて、その判定条件を予め定めておけばよい。
（２）請求項２の発明は、前記呼吸データを示す信号の変化に基づいて、前記判定を行うことを特徴とする。
【００１３】
本発明は、前記判定に用いられる信号を例示している。この信号としては、例えば呼吸センサから呼吸状態監視装置に入力される電圧の大きさを示す測定波形（呼吸信号）が挙げられる。
【００１４】
なお、メモリには、呼吸データとして、例えば所定期間毎（例えば０．１秒毎）のデータが記憶されるが、このメモリに記憶される所定期間毎のデータを用いて呼吸データの適否を判定してもよい。
【００１５】
（３）請求項３の発明は、前記信号の振幅に基づいて、前記判定を行うことを特徴とする。
呼吸状態を示す信号（呼吸信号）の振幅は、呼気や吸気の変化に応じて、例えば図６に示すように変化する。従って、正常に人の呼吸状態を測定していれば、呼吸に応じた振幅が得られるが、例えば顔に装着した呼吸センサが外れた様な異状が発生した場合には、通常の呼吸に伴う信号の振幅は得られない。よって、信号の振幅によって、適切なデータかどうかの判定を行うことができる。
【００１６】
（４）請求項４の発明は、所定の時間間隔毎に、前記信号の振幅の最大値と最小値の幅に基づいて、前記判定を行うことを特徴とする。
本発明は、判定方法を例示したものである。
【００１７】
例えば顔に取り付けた呼吸センサが外れた場合には、呼吸に応じた変化が無いので、呼吸センサから入力する信号の振幅は極めて小さい。従って、信号の振幅の最大値と最小値の幅が、例えば所定値より大きな場合には、信号が適正であると判断できる。
【００１８】
よって、この期間（所定の時間間隔）における呼吸データは適正であると考えられるので、この期間の呼吸データを必要量蓄積すればよい。
（５）請求項５の発明は、前記信号の吸気と呼気の切替点の数に基づいて、前記判定を行うことを特徴とする。
【００１９】
センサから入力される信号（呼吸状態を示す信号）が適正な場合には、図８に示す様に、その信号は呼気と吸気に応じて変動し、所定の基準ラインにて切り替わる。従って、この呼気と吸気に応じた信号の切替点の数（例えばある期間における切替点の数）により、呼吸データの適否の判定を行うことができる。
【００２０】
なお、切替点による判定に加えて、上述した信号の振幅による判定も行う場合には、判定精度が一層向上するので好ましい。
（６）請求項６の発明は、所定時間間隔毎に、前記切替点の数に基づく前記判定を行うことを特徴とする。
【００２１】
所定時間毎に判定を行うことにより、その期間における呼吸データを適正として蓄積することができる。
（７）請求項７の発明は、前記呼吸データを、前記データ判定手段の判定結果とともにメモリに記憶することを特徴とする。
【００２２】
本発明では、呼吸データを記憶するとともに、その呼吸データが適正であるかどうかの判定結果も記憶している。従って、呼吸状態の解析を行う場合には、メモリに記憶した呼吸データから適正である呼吸データのみを抽出し、その適正な呼吸データに基づいて呼吸データの解析を行うことができる。
【００２３】
（８）請求項８の発明は、前記データ判定手段の判定結果に基づき、適切な呼吸データのみをメモリに記憶することを特徴とする。
本発明では、適切な呼吸データのみをメモリに記憶するので、メモリを節約でき、この呼吸データに基づいて呼吸状態の解析を行うことができる。
【００２４】
（９）請求項９の発明は、前記メモリに記憶された適切な呼吸データが、規定量蓄積されたか否かを判定するデータ蓄積判定手段と、前記データ蓄積判定手段による判定結果に基づく情報を報知する報知制御手段と、を備えたことを特徴とする。
【００２５】
例えば、呼吸データが呼吸状態の解析に必要なだけ蓄積された場合に、その旨の報知を行うことにより、被験者等はその呼吸データを解析に回せばよいことが分かる。逆に、例えば、呼吸データが解析に必要なだけ蓄積されていない場合に、その旨の報知を行うことにより、被験者等は（呼吸データを解析に回すのではなく）再度測定を行う必要があることが分かる。よって、全体の作業能率が向上するという利点がある。
【００２６】
（１０）請求項１０の発明は、前記報知する情報は、正常に測定が完了したことを示す情報、正常に測定されなかったことを示す情報、又は、再度の測定を促すことを示す情報であることを特徴とする。
【００２７】
本発明は、報知内容を例示したものである。
（１１）請求項１１の発明は、前記センサは、人の呼気や吸気に接してその信号が変化する素子（例えば圧電素子や温度素子）を利用した呼吸センサであることを特徴とする。
【００２８】
本発明は、呼吸状態監視装置に用いるセンサを例示したものである。この呼吸センサとしては、口及び鼻の近傍に配置されて、口及び鼻からの両方の息に接して出力が変化するものが好適である。この素子としては、圧力によってその出力が変化する圧電素子や、温度によってその出力が変化する温度素子が挙げられるが、両機能を備えた例えばＰＶＤＦ等の素子が好適である。
【００２９】
（１２）請求項１２の発明は、人の呼吸を検出可能なセンサにより得られた呼吸状態を示す呼吸データに基づいて、前記呼吸状態の解析が可能な呼吸データ処理装置において、前記呼吸データが、前記呼吸状態の判定に用いられる呼吸データとして適切な呼吸データか否かを判定するデータ判定手段を備えたことを特徴とする。
【００３０】
本発明は、呼吸データに基づいて呼吸状態の解析が可能なパソコン等の呼吸データ処理装置に関するものであり、例えば呼吸センサから得られた呼吸データを蓄積できる携帯型の測定装置から呼吸データを取得し、その呼吸データのうちの適正な呼吸データを用いて呼吸状態の解析等の処理を行うことができる。
【００３１】
つまり、本発明では、得られた呼吸データが、正常な測定によって得られた適切なデータであるかを判定しているので、その適正な呼吸データに基づいて、呼吸状態を精度良く解析することができる。
【００３２】
（１３）請求項１３〜１７の発明（呼吸データ処理装置）は、それぞれ、前記請求項２〜６の発明と同様な効果を奏する。
（１４）請求項１８〜２３の発明（呼吸データ処理方法）は、それぞれ、前記請求項２〜６の発明と同様な効果を奏する。
【発明を実施するための最良の形態】
【００３３】
次に、本発明を実施するための最良の形態の例（実施例）について説明する。
【実施例１】
【００３４】
本実施例の呼吸データ処理方法を行う呼吸状態監視装置は、多くの被験者に対して、その呼吸の異常を抽出（スクリーニング）するために用いられる携帯型の装置である。
ａ）まず、呼吸状態監視システムの構成を、図１〜図３を用いて説明する。
【００３５】
図１に示す様に、呼吸状態監視システム（睡眠時無呼吸スクリーナ）１は、呼吸状態、詳しくは睡眠時の呼吸の有無を検出するためのシステムであり、被験者に取り付けられる呼吸センサ３と、呼吸センサ３が着脱可能に取り付けられて、呼吸センサ３からの信号を記録する呼吸状態監視装置５とから構成されている。
【００３６】
前記呼吸センサ３は、略Ｔ字形状の内カバー６及び外カバー７の２重構造からなるセンサ本体８を備えるとともに、両カバー６、７の左右の下端を連結する連結部９と、両カバー６、７の間から伸びる一対のリード線１０、１１と、リード線１０、１１の先端に取り付けられたセンサ側コネクタ１３（図２参照）とを備えている。
【００３７】
このうち、両カバー６、７は、図１の上下方向に伸びる中央部６ａ、７ａが紙面表側に凸となった例えばポリエステルからなる薄肉のフィルム状の部材であり、口及び鼻からの息を検出するための呼吸検出部１４と、呼吸検出部１４の後端側（同図上方）の左右の両端から突出する一対の脚部１６ａ、１６ｂとから構成されている。
【００３８】
また、下カバー６の先端側には、長方形の圧電素子（例えばピエゾ素子）１５が取り付けられており、上カバー７の先端側には、圧電素子１５に対応する投影位置（図１の紙面表側）には、複数のスリット状の換気孔１８が形成されている。
【００３９】
一方、前記呼吸状態監視装置５は、腕等に装着可能なような軽量な携帯型の装置であり、図３に示す様に、略直方体のプラスチック製の筐体１７と、その内部に収容された電子制御装置１９（図４参照）とを備えている。
【００４０】
この呼吸状態監視装置５の上面には、センサ側コネクタ１３が嵌め込まれる装置側上コネクタ（モジュラージャック）２１が設けられるとともに、第１〜第４ＬＥＤ２３〜２９が半透明のカバー３１に覆われて配置されている。
【００４１】
また、呼吸状態監視装置５の左側面には、呼吸状態の測定（監視）の開始や終了のオン・オフを行う測定開始スイッチ３３が配置され、呼吸状態監視装置５の下面には、呼吸状態監視装置５をベース装置（データ収集装置）３５（図５参照）に接続するために、装置側下コネクタ（Ｄ−ＳＵＢコネクタ）３７が配置されている。
【００４２】
尚、呼吸状態監視装置５の裏面には、呼吸状態監視装置５自身のＩＤ番号を示すバーコードのシール（記録部）４１が貼り付けられている。
特に、本実施例では、呼吸状態監視装置５の正面に、装置の状態等を明確に示すために、動作表示器３９が設けられている。
【００４３】
この動作表示器３９は、複数の文字等を表示できる液晶表示装置であり、バックライトを点滅（又は点灯）することにより、被験者等に表示内容に注意を向けさせることができる。
【００４４】
なお、バックライトを点滅させるのではなく、例えば動作表示器３９の近傍にＬＥＤ等を配置し、そのＬＥＤを点滅させる等により、動作表示器３９に表示させる内容に注意を喚起するようにしてもよい。
【００４５】
この動作表示器３９に表示する内容としては、例えば下記の５種類の内容が挙げられる。
・測定開始スイッチ３３の操作ミスを報知する場合には、「測定開始スイッチを入れて下さい」との文字を表示する。
【００４６】
・測定が継続中の場合には、「測定記録中です」との文字を表示する。この場合は、睡眠の邪魔にならないように、バックライトの点滅等は中止する。
・呼吸センサ３からの測定データが得られない場合（異常を報知する場合）には、「測定異常、装置を点検して下さい」との文字を表示する。
【００４７】
・所定時間（例えば１０時間）経過しても適正な測定データが必要な時間分（例えば３時間分）得られていないことを報知する場合には、「測定データの蓄積が不足です」との文字を表示する。
【００４８】
・測定が正常に完了したことを報知する場合には、「測定は正常に完了しました」との文字を表示する。
ｂ）次に、呼吸状態監視装置５の電気的構成について、図４を用いて説明する。
【００４９】
図４に示す様に、呼吸状態監視装置５の電子制御装置１９として、周知のＡ／Ｄ内蔵マイコン４３、バッテリ（充電池）６３でバックアップされたリアルタイムクロック４５、不揮発性メモリ４７、フラッシュメモリ４９、シリアル通信回線５１を備えるとともに、チャージアンプ（ＡＭＰ）５３、ゲイン１倍ＡＭＰ５５、ゲイン２倍ＡＭＰ５７を備えている。
【００５０】
また、前記Ａ／Ｄ内蔵マイコン４３は、バッテリ切れ表示器５９の第１ＬＥＤ２３、呼吸フロー表示器６１の第２〜第４ＬＥＤ２５〜２９に接続されている。
このうち、第１ＬＥＤ２３は、充電池６３の電圧が低下すると点灯するランプである。また、第２〜第４ＬＥＤ２５〜２９は、呼吸状態に応じて点滅するランプであり、第３ＬＥＤ２７は呼吸センサ３が呼吸状態監視装置５に接続されると点灯し、第２ＬＥＤ２５は息が吸われと点灯し、第４ＬＥＤ２９は息が吐かれると点灯する。
【００５１】
更に、Ａ／Ｄ内蔵マイコン４３には、動作表示器３９が接続されているとともに、音声合成の機能を有するアンプ６５を介して、スピーカ６７及びイヤホーンジャック６９が接続されている。
【００５２】
装置側下コネクタ３７は、充電池６３を介して、装置側上コネクタ２１に接続され、更に、装置側上コネクタ２１は、電子制御装置１９に電力を供給する電源回路７１に接続されている。
【００５３】
ここで、充電池６３から電源回路７１への回路は、装置側上コネクタ２１によって、常時は、開かれた構造となっている。
つまり、呼吸センサ３のセンサ側コネクタ１３を装置側上コネクタ２１に装着することによって、充電池６３から電源回路７１へ電力が供給されるとともに、呼吸センサ３からの信号が呼吸状態監視装置５のＡ／Ｄ内蔵マイコン４３に入力する構成となっている。
【００５４】
また、図５に示す様に、呼吸状態監視装置５は、データ収集装置３５に装着されることによって、データ収集装置３５のベース側コネクタ（Ｄ−ＳＵＢコネクタ）７３から、装置側下コネクタ３７の専用の充電端子（図示せず）を介して、充電池６３に充電される構成になっている。
【００５５】
なお、複数の呼吸状態監視装置５を着脱可能に装着するデータ収集装置３５と、呼吸状態監視装置５のバーコードを読み込むバーコードリーダ８３と、バーコードリーダ８３やデータ収集装置３５を制御するパソコン８５等とから、全体管理システム８１が構成されている。そして、このパソコン８５に読み込まれた呼吸データを用いて、呼吸状態の解析を行うことができる。
【００５６】
ｃ）次に、呼吸状態監視システム１の使用方法について、順を追って説明する。
(1)呼吸状態の測定方法の概略
・まず、個々の被験者に対してその呼吸状態を測定する場合には、呼吸状態監視装置５を被験者の腕に取り付ける。また、呼吸センサ３のセンサ本体８を、口と鼻との間に両面テープで取り付ける。
【００５７】
・そして、センサ側コネクタ１３を装置側上コネクタ２１に装着すると、充電池６３から電源回路７１に到る回路が閉じて、電子制御装置１９に電力が供給される状態（電源オン）となる。
【００５８】
・電源がオンとなると、後に詳述する様に、装置の状態に応じて、動作表示器３９を駆動して種々の表示を行う。
・また、測定開始スイッチ３３が「入（オン）」に操作されると、呼吸センサ３からの信号の処理が開始され、状況に応じて第２〜第４ＬＥＤ２３〜２９が点灯する。
【００５９】
・更に、測定開始スイッチ３３が「入」に操作されてから３分間経過すると、第２〜第４ＬＥＤ２５〜２９は減光する。
・そして、呼吸センサ３からの信号をフラッシュメモリ４９に記憶する動作を開始する。具体的には、呼吸センサ３からのアナログ信号（呼吸信号）を入力し、０．１秒毎の信号（振幅値）を呼吸データとして記憶する。
【００６０】
特に本実施例では、単に呼吸データを無条件で記憶するのではなく、適切な呼吸データを所定の判定条件にて判定して抽出し、呼吸状態の解析に必要な時間分（例えば少なくとも３時間分）を蓄積するようにしている。
【００６１】
具体的には、例えば図６に示す様に、所定時間（ΔＴ：例えば２分）毎に、呼吸信号の振幅の最大値と最小値との差ΔＨ（同図の上側の凸の最大ピークと下側に凸の最大ピークとの差）をとり、この差が所定の基準値を上回った場合には、このΔＴ期間では、正常に呼吸状態が測定されているとして、カウンタをインクリメントする。
【００６２】
このカウント数は正常な呼吸データが得られている合計期間を示すので、このカウンタ数から適切な呼吸データが必要量（必要時間分）蓄積されたか否かを判定できる。
なお、どの期間の呼吸データが適切な呼吸データであるかを示す各期間毎の判定結果フラグも、呼吸データとともにフラッシュメモリ４９に記憶されているので、判定結果フラグが付された期間の呼吸データを用いて、呼吸状態の解析を行うことができる。
【００６３】
・その後、測定開始スイッチ３３のオンから１０時間経過すると、呼吸データの記憶を終了し、呼吸状態の測定を終了する。
・測定が終了すると、顔からセンサ本体８が顔から外され、呼吸センサ３が呼吸状態監視装置５から外される。この呼吸センサ３の装置からの取り外し動作によって、充電池６３から電源回路７１に到る回路が開くことになる。
【００６４】
・その後、呼吸状態監視装置５がデータ収集装置３５に装着されると、パソコン８５の操作によって、呼吸状態監視装置５に蓄積された呼吸データ（ここでは適切な呼吸データのみ）が、データ収集装置３５を介してパソコン８５の記憶装置等に記憶される。よって、パソコン８５により、３時間分の呼吸データを用いて呼吸状態の解析を行うことができる。
【００６５】
なお、呼吸状態監視装置５に蓄積された全ての呼吸データ及び判定結果フラグをパソコン８５に送信し、パソコン８５側にて（判定結果フラグを利用して）適切な呼吸データのみ抽出して呼吸状態の解析に利用してもよい。
【００６６】
(2)電源オンからの処理内容
次に、電源がオンにより開始される電子制御装置１９の処理内容の要部について、フローチャートに基づいて詳細に説明する。
【００６７】
図７に示す様に、電源がオンとなると、ステップ（Ｓ）１００にて、電源オンから１分以上経過したか否かを判定する。ここで、肯定判断されると、ステップ１１０に進み、一方否定判断されると待機する。
【００６８】
ステップ１１０では、測定開始スイッチ３３がオンに操作されたか否かを判定する。ここで肯定判断されるとステップ１５０に進み、一方否定判断されるとステップ１２０に進む。
【００６９】
ステップ１２０では、電源がオンになってから１分以上経過しても測定開始スイッチ３３がオンにされないので、「測定開始スイッチ３３のオンの操作が忘れられている」と判断して、そのことを報知するために、動作表示器３９を駆動して、「測定開始スイッチを入れて下さい」と表示する。それとともに、動作表示器３９のバックライトを点滅して、被験者等に注意を促す。
【００７０】
続くステップ１３０では、電源オンから５分以上経過したか否かを判定する。ここで肯定判断されるとステップ１５０に進み、一方否定判断されるとステップ１４０に進む。
この処理は、電源オンから５分以上経過した場合には、測定開始スイッチ３３のオン・オフにかからず、ステップ１５０に進んで、強制的に測定を開始するためのものである。
【００７１】
ステップ１４０では、再度、測定開始スイッチ３３がオンに操作されたか否かを判定する。ここで肯定判断されるとステップ１５０に進み、一方否定判断されると前記ステップ１２０に戻る。
【００７２】
前記ステップ１１０、１３０、１４０で肯定判断されて進むステップ１５０では、測定を開始する。つまり、呼吸センサ３からの呼吸信号を、Ａ／Ｄ内蔵マイコン４３に読み込む処理を行う。
【００７３】
続くステップ１６０では、動作表示器３９を駆動して、「測定記録中です」と表示する。
続くステップ１７０では、測定開始から１０時間以上経過したか否かを判定する。ここで肯定判断されるとステップ２５０に進み、一方否定判断されるとステップ１８０に進む。
【００７４】
ステップ１８０では、何らかの異常の発生を判定するために、１０分間測定データの入力が無いか否か（或いは正常時とは異なる微弱な入力しかないか否か）を判定する。ここで肯定判断されるとステップ２４０に進み、一方否定判断されるとステップ１９０に進む。
【００７５】
ステップ２４０では、例えば断線が発生したり、呼吸センサ３が体から外れたり、或いは、被験者が布団をかぶったりすることが原因で、入力信号が異常となり、正常な測定ができないと判断する。そして、動作表示器３９を駆動して、「測定異常、装置を点検して下さい」と表示するとともに、バックライトを点滅し、一旦本処理を終了する。
【００７６】
一方、ステップ１９０では、前記図６に示す所定期間ΔＴ（例えば２分間）における測定データが、（呼吸状態の解析に用いるための）適正なデータであるか否かを判定する。ここで肯定判断されるとステップ２００に進み、一方否定判断されるとステップ２１０に進む。
【００７７】
具体的には、上述した様に、所定期間ΔＴにおける呼吸信号の最大値と最小値との差ΔＨが所定の判定値以上か否かを判定する。つまり、呼吸信号が正常な場合には、呼気や吸気に応じた振幅があるので、所定以上の振幅がある場合には呼吸信号が正常であり、そうでない場合には、例えば呼吸センサ３の脱落などの何等かの異常はあると見なすのである。
【００７８】
なお、上述した様に、フラッシュメモリ４９には、電子制御装置１９に入力した信号のうち、０．１秒毎の信号（振幅値）が呼吸データとして記憶されるが、この呼吸データの値を、前記（呼吸データ自身の適否の）判定に用いる信号として利用することができる。
【００７９】
ステップ２００では、前記所定期間ΔＴにおける測定データ（従って呼吸データ）が適正であるので、カウンタ（適正データ期間カウンタ）をインクリメントする。つまり、例えばカウンタ値が１であれば、２分間分の呼吸データが適正であるので、カウンタ値によってどの程度（時間）適正な呼吸データが蓄積されたかが分かる。
【００８０】
ステップ２１０では、前記ステップ１９０の判定結果にかかわらず、全ての呼吸データを記憶するとともに、記憶した呼吸データが適正な期間における呼吸データかどうかも記憶する。
【００８１】
つまり、どの期間の呼吸データが適正な呼吸データかが分かるように、各期間毎に（或いは個々の呼吸データ毎に）判定結果フラグを付けて記憶する。なお、適正でないデータは、記憶しないようにしてもよい。
【００８２】
続くステップ２２０では、測定スイッチ３３がオンか否かを判定する。ここで否定判断されるとステップ２５０に進み、一方肯定判断されると前記ステップ１５０に戻る。
ステップ２５０では、規定の測定時間（例えば１０時間）が終了したので、呼吸データが３時間分フラッシュメモリ４９に記憶されたか否かを判定する。具体的には、前記適正データ期間カウンタのカウンタ値が、３時間を示す値（９０カウント）に達した否かを判定する。ここで肯定判断されるとステップ２７０に進み、一方否定判断されるとステップ２６０に進む。
【００８３】
ステップ２７０では、呼吸状態の解析に十分な呼吸データが記憶されたので、動作表示器３９を駆動して、「測定は正常に完了しました」と表示し、一旦本処理を終了する。
一方、ステップ２６０では、１０時間測定を行っても呼吸データが不足しているので、動作表示器３９を駆動して、「測定データの蓄積が不足です」と表示するとともに、バックライトを点滅し、一旦本処理を終了する。
【００８４】
ｄ）次に、本実施例の効果を説明する。
本実施例では、呼吸状態監視装置５において、呼吸センサ３から呼吸状態監視装置５に入力されて記憶された呼吸データが、正常な測定によって得られた適切な呼吸データであるか否かを、呼吸センサ３から入力された呼吸信号に基づいて判定して区別している。そして、その適切な呼吸データが、呼吸状態の解析に必要量蓄積されているか否かを判定し、その判定結果を表示している。
【００８５】
従って、被験者は、（例えば夜測定した場合には）朝起きたときに呼吸状態監視装置５の表示を見れば、うまく測定が完了したかどうかが直ぐに分かるという利点がある。よって、再度測定を行うべきか或いは呼吸データを解析に回すべきかが分かるので、作業能率が向上するという効果がある。
【実施例２】
【００８６】
次に、実施例２について説明するが、前記実施例１と同様な内容の説明は省略する。
本実施例は、前記実施例１とは、呼吸データの適否の判定手法が異なるので、その点を説明する。
【００８７】
図８に例示する様に、呼気と吸気に応じて呼吸信号が変動するが、例えば呼気から吸気に切り替わる（或いはその逆の）切替点に着目すると、呼吸信号が正常な場合には、所定期間ΔＴ（例えば２分）における切替点の個数は所定範囲に収まっていると考えられる。
【００８８】
従って、本実施例では、所定期間における切替点の数が所定範囲内でない場合、具体的には、過度に少ない場合（例えば０回）や過度に多い場合には、その所定期間における呼吸信号が正常でないと見なす。なお、その他の処理は、前記実施例１と同様である。
【００８９】
本実施例でも、前記実施例１と同様な効果を奏する。
【実施例３】
【００９０】
次に、実施例３について説明するが、前記実施例１と同様な内容の説明は省略する。
本実施例は、呼吸データ処理装置に関するものである。なお、ハード構成の図番は前記実施例１の番号を使用した。
【００９１】
この呼吸データ処理装置は、前記パソコン８５であり、ここでは、呼吸状態監視装置５として、（前記実施例１、２とは異なり）単に呼吸データを所定の測定時間（例えば１０時間）にわたり収集する装置を用いる。
【００９２】
本実施例では、就寝時に、呼吸センサ３からの呼吸データが所定の測定時間に渡り呼吸状態監視装置５に蓄積される。そして、測定終了後に、呼吸状態監視装置５がデータ収集装置３５に装着されると、呼吸状態監視装置５に記憶された呼吸データはデータ収集装置３５を介してパソコン３５に入力される。パソコン８５では、この呼吸データを処理することにより、呼吸状態を解析する。
【００９３】
以下、パソコン８５にて処理される手順について説明する。
パソコン８５に取り込まれた呼吸データを、所定時間（例えば２分）毎に区分し、その所定時間毎において、呼吸データの最大値と最小値の差を求め、この差が所定の判定値以上かどうかを判定する。
【００９４】
そして、所定の判定値以上の場合には、この所定期間における呼吸データが適正なものとして判断する。同様な処理を、各所定期間毎に実施し、適正な呼吸データを蓄積してゆく。
【００９５】
そして、適正な呼吸データが、呼吸状態の解析に必要な時間分（例えば３時間分）ある場合には、必要な呼吸データがあることを、例えばパソコン３５のディスプレイやスピーカ等を用いて報知する。
【００９６】
なお、必要量の呼吸データが得られなかった場合には、正常に測定されなかったことを示す内容や再度の測定を促すこと内容を報知する。
それとともに、その蓄積された適切な呼吸データを用いて呼吸状態の解析を行い、その解析結果を同様に報知する。
【００９７】
本実施例では、前記実施例１、２に比べて、呼吸状態監視装置５側の負担が少ないという利点がある。
尚、本発明は前記実施例に何ら限定されることなく、本発明の技術的範囲を逸脱しない限り、種々の態様で実施できることはいうまでもない。
【００９８】
また、前記請求項１のデータ判定手段としては例えば図７のステップ１９０が挙げられる。また、請求項６のデータ蓄積判定手段としては例えば図７のステップ２５０、同報知制御手段としては例えば図７のステップ２４０、２５０、２７０等が挙げられる。
【図面の簡単な説明】
【００９９】
【図１】実施例１の呼吸状態監視システムを示す説明図である。
【図２】呼吸センサの呼吸状態監視装置への装着状態を示す説明図である。
【図３】呼吸状態監視装置を示し、（ａ）は上面図、（ｂ）は正面図、（ｃ）は底面図、（ｄ）は左側面図、（ｅ）は背面図である。
【図４】呼吸状態監視装置の電気的構成を示すブロック図である。
【図５】全体管理システムのシステム構成を示す説明図である。
【図６】実施例１における呼吸データの判定手法を示す説明図である。
【図７】実施例１の呼吸状態監視装置の制御処理を示すフローチャートである。
【図８】実施例２における呼吸データの判定手法を示す説明図である。
【符号の説明】
【０１００】
１・・・呼吸状態監視システム
３・・・呼吸センサ
５・・・呼吸状態監視装置
１５・・・圧電素子
３５・・・データ収集装置
３９・・・動作表示器
８５・・・パソコン
【図１】
2008110139.tif 000003
【図２】
2008110139.tif 000004
【図３】
2008110139.tif 000005
【図４】
2008110139.tif 000006
【図５】
2008110139.tif 000007
【図６】
2008110139.tif 000008
【図７】
2008110139.tif 000009
【図８】
2008110139.tif 000010